【手続補正書】
【提出日】平成18年5月9日(2006.5.9)
【手続補正１】
【補正対象書類名】特許請求の範囲
【補正対象項目名】全文
【補正方法】変更
【補正の内容】
【特許請求の範囲】
【請求項１】
光源から出射した波長３５０〜４５０nm中の特定波長の単色光で構成された光束を光情報記録媒体に集光する対物レンズであって、
脂環式構造を有する重合体を含有する樹脂から構成された基材と、
波長４０５nmの光に対する屈折率が１．７未満の第１の膜と
波長４０５nmの光に対する屈折率が１．７以上の第２の膜と
波長４０５nmの光に対する屈折率が１．５５以下の第３の膜と
波長４０５nmの光に対する屈折率が１．７以上の第４の膜と
を備え、
これら第１〜第４の膜は、前記基材側から前記第１の膜、前記第２の膜、前記第３の膜、前記第４の膜の順で配置され、
前記第１の膜の膜厚は、１００〜１５０００nmの範囲内であることを特徴とする対物レンズ。
【請求項２】
請求項１に記載の対物レンズにおいて、
前記第１の膜の膜厚が５００〜１２０００ｎｍであることを特徴とする対物レンズ。
【請求項３】
請求項１または２記載の対物レンズにおいて、
前記第１の膜が、
酸化シリコン、フッ化マグネシウム、フッ化アルミニウム、フッ化イットリウム、フッ化鉛、フッ化セリウム、フッ化ネオジウム、フッ化ランタン、酸化アルミニウムのいずれかの単体又はこれらの混合物から構成されていることを特徴とする対物レンズ。
【請求項４】
請求項１〜３のいずれか一項に記載の対物レンズにおいて、
前記第２の膜が、
酸化ハフニウム、酸化ジルコニウム、酸化イットリウム、酸化ランタン、ランタンアルミネート、チタン酸ランタン、チタン酸プラセオジウム、酸化タンタル、酸化チタンのいずれかの単体又はこれらの混合物から構成されていることを特徴とする対物レンズ。
【請求項５】
請求項１〜４のいずれか一項に記載の対物レンズにおいて、
前記第３の膜が、
酸化シリコン、フッ化マグネシウム、フッ化アルミニウム、フッ化イットリウムのいずれかの単体若しくはこれらの混合物又は酸化シリコンと酸化アルミニウムとの混合物から構成されていることを特徴とする対物レンズ。
【請求項６】
請求項１〜５のいずれか一項に記載の対物レンズにおいて、
波長４０５ｎｍの光に対する前記第１の膜の屈折率が、
波長４０５ｎｍの光に対する前記基材の屈折率の±１０％の範囲内に収まることを特徴とする対物レンズ。
【請求項７】
請求項１〜６のいずれか一項に記載の対物レンズにおいて、
前記基材を構成する樹脂が、
重量平均分子量（Ｍｗ）が１，０００〜１，０００，０００である重合体全繰り返し単位中に、下記式（１）で表される脂環式構造を有する繰り返し単位（ａ）と、下記式（２）及び／又は下記式（３）で表される鎖状構造の繰り返し単位（ｂ）とを、合計含有量が９０重量％以上になるように含有し、さらに繰り返し単位（ｂ）の含有量が１重量％以上１０重量％未満である脂環式炭化水素系共重合体を含有することを特徴とする対物レンズ。
【化１】
2005302088.tif 000001
【化２】
2005302088.tif 000002
【化３】
2005302088.tif 000003
（式（１）中、Ｘは脂環式炭化水素基であり、式（１）、式（２）及び式（３）中、Ｒ１〜Ｒ１３はそれぞれ独立に、水素原子、鎖状炭化水素基、ハロゲン原子、アルコキシ基、ヒドロキシ基、エーテル基、エステル基、シアノ基、アミド基、イミド基、シリル基及び極性基（ハロゲン原子、アルコキシ基、ヒドロキシ基、エーテル基、エステル基、シアノ基、アミド基、イミド基又はシリル基）で置換された鎖状炭化水素基である。式（３）中、「………」は炭素−炭素飽和結合又は不飽和結合である。）
【請求項８】
請求項７に記載の対物レンズにおいて、
前記基材を構成する樹脂が、
下記式（１１）で表される繰り返し単位〔１〕を含有する重合体ブロック〔Ａ〕と、下記式（１１）で表される繰り返し単位〔１〕並びに下記式（１２）で表される繰り返し単位〔２〕又は／及び下記式（１３）で表される繰り返し単位〔３〕を含有する重合体ブロック〔Ｂ〕とを有するブロック重合体を含有することを特徴とする対物レンズ。
【化４】
2005302088.tif 000004
（式（１１）中、Ｒ1は水素原子又は炭素数１〜２０のアルキル基であり、Ｒ2−Ｒ12はそれぞれ独立に、水素原子、炭素数１〜２０のアルキル基、ヒドロキシル基、炭素数１〜２０のアルコキシ基又はハロゲン基である。）
【化５】
2005302088.tif 000005
（式（１２）中、Ｒ13は水素原子又は炭素数１〜２０のアルキル基である。）
【化６】
2005302088.tif 000006
（式（１３）中、Ｒ14及びＲ15はそれぞれ独立に、水素原子又は炭素数１〜２０のアルキル基である。）
【請求項９】
請求項１〜６のいずれか一項に記載の対物レンズにおいて、
前記基材を構成する樹脂が、
ノルボルネン系開環重合体水素添加物を含有することを特徴とする対物レンズ。
【請求項１０】
請求項１〜９のいずれか一項に記載の対物レンズにおいて、
前記基材の前記光情報記録媒体に対向する面に、前記第１の膜、前記第２の膜、前記第３の膜及び前記第４の膜が成膜されていることを特徴とする対物レンズ。
【請求項１１】
請求項１〜１０のいずれか一項に記載の対物レンズにおいて、
前記基材が
光源側に配置される第１の成形品と、
前記光情報記録媒体側に配置される第２の成形品と、
を有し、
前記第２の成形品が正の近軸パワーを有し、かつ、下記式（４１），（４２）の両条件を満たすことを特徴とする対物レンズ。
｜Ｐ１／Ｐ２｜≦０．２ … （４１） 
０．８≦ｄ2／ｆ2≦１．８ … （４２） 
（上記式（４１）中、Ｐ１：第１の成形品の近軸パワー、Ｐ２：第２の成形品の近軸パワーである。上記式（４２）中、ｄ2：第２の成形品の光軸上の厚さ、ｆ2：波長４０５ｎｍの光に対する第２の成形品の焦点距離である。）
【請求項１２】
請求項１〜１０のいずれか一項に記載の対物レンズにおいて、
前記基材が、
光源側に配置される第１の成形品と、
前記光情報記録媒体側に配置される第２の成形品と、
を有し、
前記第１の成形品及び前記第２の成形品がともに正の近軸パワーを有し、かつ、下記式（５１），（５２）の両条件を満たすことを特徴とする対物レンズ。
０．８≦ＮＡ … （５１） 
０．２≦β≦０．５ … （５２）
（上記式（５１）中、ＮＡ：第２の成形品の像側開口数である。上記式（５２）中、β：第２の成形品のレンズ倍率である。）
【請求項１３】
請求項１〜１０のいずれか一項に記載の対物レンズにおいて、
前記基材が、単一のレンズで構成され、下記式（６０）の条件を満たすことを特徴とする対物レンズ。
０．８≦ｄ／ｆ≦１．８ … （６０）
（上記式（６０）中、ｄ：光軸上の厚さ、ｆ：波長４０５ｎｍの光に対する焦点距離である。）
【請求項１４】
請求項１〜１３のいずれか一項に記載の対物レンズにおいて、
波長６２０〜６８０nm中の特定波長の単色光で構成された光束を光情報記録媒体に集光させるために用いられることを特徴とする対物レンズ。
【請求項１５】
請求項１〜１４のいずれか一項に記載の対物レンズと、
前記対物レンズに向けて波長３５０〜４５０ｎｍ中の特定波長の単色光を出射する光源と、
を備えることを特徴とする光ピックアップ装置。
【請求項１６】
波長３５０〜４５０nm中の特定波長を有する第一の単色光から構成された光束を出射する第一光源と、
波長６２０〜６８０nm中の特定波長を有する第二の単色光から構成された光束を出射する第二光源と、
前記第一又は第二光源から出射された単色光を光情報記録媒体に集光する対物レンズと、
を備えた光ピックアップ装置であって、
前記対物レンズは、
脂環式構造を有する重合体を含有する樹脂から構成された基材と、
波長４０５nmの光に対する屈折率が１．７未満の第１の膜と
波長４０５nmの光に対する屈折率が１．７以上の第２の膜と
波長４０５nmの光に対する屈折率が１．５５以下の第３の膜と
波長４０５nmの光に対する屈折率が１．７以上の第４の膜と
を備え、
これら第１〜第４の膜は、前記基材側から前記第１の膜、前記第２の膜、前記第３の膜、前記第４の膜の順で配置され、
前記第１の膜の膜厚は、１００〜１５０００nmの範囲内であることを特徴とする光ピックアップ装置。
【請求項１７】
請求項１６記載の光ピックアップ装置において、
前記第一光源から出射された第一の単色光は、第一の光情報記録媒体に前記対物レンズを介して集光し、
前記第二光源から出射された第二の単色光は、前記第一の光情報記録媒体とは異なる第二の光情報記録媒体に前記対物レンズを介して集光することを特徴とする光ピックアップ装置。
【手続補正２】
【補正対象書類名】明細書
【補正対象項目名】０００６
【補正方法】変更
【補正の内容】
【０００６】
上記課題を解決するため請求項１に記載の発明は、
光源から出射した波長３５０〜４５０nm中の特定波長の単色光で構成された光束を光情報記録媒体に集光する対物レンズであって、
脂環式構造を有する重合体を含有する樹脂から構成された基材と、
波長４０５ｎｍの光に対する屈折率が１．７未満の第１の膜と、
波長４０５ｎｍの光に対する屈折率が１．７以上の第２の膜と、
波長４０５ｎｍの光に対する屈折率が１．５５以下の第３の膜と、
波長４０５nmの光に対する屈折率が１．７以上の第４の膜と
を備え、
これら第１〜第４の膜は、前記基材側から前記第１の膜、前記第２の膜、前記第３の膜、前記第４の膜の順で配置され、
前記第１の膜の膜厚は、１００〜１５０００nmの範囲内であることを特徴としている。
【手続補正３】
【補正対象書類名】明細書
【補正対象項目名】０００７
【補正方法】変更
【補正の内容】
【０００７】
請求項２に記載の発明は、
請求項１に記載の対物レンズにおいて、
前記第１の膜の膜厚が５００〜１５０００ｎｍであることを特徴としている。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項３に記載の発明は、
請求項１または２記載の対物レンズにおいて、
前記第１の膜が、
酸化シリコン、フッ化マグネシウム、フッ化アルミニウム、フッ化イットリウム、フッ化鉛、フッ化セリウム、フッ化ネオジウム、フッ化ランタン、酸化アルミニウムのいずれかの単体又はこれらの混合物から構成されていることを特徴としている。
【手続補正６】
【補正対象書類名】明細書
【補正対象項目名】００１０
【補正方法】変更
【補正の内容】
【００１０】
請求項４に記載の発明は、
請求項１〜３のいずれか一項に記載の対物レンズにおいて、
前記第２の膜が、
酸化ハフニウム、酸化ジルコニウム、酸化イットリウム、酸化ランタン、ランタンアルミネート、チタン酸ランタン、チタン酸プラセオジウム、酸化タンタル、酸化チタンのいずれかの単体又はこれらの混合物から構成されていることを特徴している。
【手続補正７】
【補正対象書類名】明細書
【補正対象項目名】００１１
【補正方法】変更
【補正の内容】
【００１１】
請求項５に記載の発明は、
請求項１〜４のいずれか一項に記載の対物レンズにおいて、
前記第３の膜が、
酸化シリコン、フッ化マグネシウム、フッ化アルミニウム、フッ化イットリウムのいずれかの単体若しくはこれらの混合物又は酸化シリコンと酸化アルミニウムとの混合物から構成されていることを特徴としている。
【手続補正８】
【補正対象書類名】明細書
【補正対象項目名】００１２
【補正方法】変更
【補正の内容】
【００１２】
請求項６に記載の発明は、
請求項１〜５のいずれか一項に記載の対物レンズにおいて、
波長４０５ｎｍの光に対する前記第１の膜の屈折率が、
波長４０５ｎｍの光に対する前記基材の屈折率の±１０％の範囲内に収まることを特徴としている。
【手続補正９】
【補正対象書類名】明細書
【補正対象項目名】００１３
【補正方法】変更
【補正の内容】
【００１３】
請求項７に記載の発明は、
請求項１〜６のいずれか一項に記載の対物レンズにおいて、
前記基材を構成する樹脂が、
重量平均分子量（Ｍｗ）が１，０００〜１，０００，０００である重合体全繰り返し単位中に、下記式（１）で表される脂環式構造を有する繰り返し単位（ａ）と、下記式（２）及び／又は下記式（３）で表される鎖状構造の繰り返し単位（ｂ）とを、合計含有量が９０重量％以上になるように含有し、さらに繰り返し単位（ｂ）の含有量が１重量％以上１０重量％未満である脂環式炭化水素系共重合体を含有することを特徴としている。
【化１】
2005302088.tif 000007
【化２】
2005302088.tif 000008
【化３】
2005302088.tif 000009
（式（１）中、Ｘは脂環式炭化水素基であり、式（１）、式（２）及び式（３）中、Ｒ１〜Ｒ１３はそれぞれ独立に、水素原子、鎖状炭化水素基、ハロゲン原子、アルコキシ基、ヒドロキシ基、エーテル基、エステル基、シアノ基、アミド基、イミド基、シリル基及び極性基（ハロゲン原子、アルコキシ基、ヒドロキシ基、エーテル基、エステル基、シアノ基、アミド基、イミド基又はシリル基）で置換された鎖状炭化水素基である。式（３）中、「………」は炭素−炭素飽和結合又は不飽和結合である。）
【手続補正１０】
【補正対象書類名】明細書
【補正対象項目名】００１４
【補正方法】変更
【補正の内容】
【００１４】
特に、請求項７に記載の発明において、上記脂環式炭化水素系共重合体は、上記繰り返し単位（ａ）の連鎖が下記関係式（Ｚ）を満たすものであることが好ましい。
Ａ≦０．３×Ｂ  …  （Ｚ）
（関係式（Ｚ）中、Ａ＝（脂環式構造を有する繰り返し単位の連鎖の重量平均分子量）であり、Ｂ＝（脂環式炭化水素系共重合体の重量平均分子量（Ｍｗ）×（脂環式構造を有する繰り返し単位数／脂環式炭化水素系共重合体を構成する全繰り返し単位数）である。）
【手続補正１１】
【補正対象書類名】明細書
【補正対象項目名】００１５
【補正方法】変更
【補正の内容】
【００１５】
請求項８に記載の発明は、
請求項７に記載の対物レンズにおいて、
前記基材を構成する樹脂が、
下記式（１１）で表される繰り返し単位〔１〕を含有する重合体ブロック〔Ａ〕と、下記式（１１）で表される繰り返し単位〔１〕並びに下記式（１２）で表される繰り返し単位〔２〕又は／及び下記式（１３）で表される繰り返し単位〔３〕を含有する重合体ブロック〔Ｂ〕とを有するブロック重合体を含有することを特徴としている。
【化４】
2005302088.tif 000010
（式（１１）中、Ｒ1は水素原子又は炭素数１〜２０のアルキル基であり、Ｒ2−Ｒ12はそれぞれ独立に、水素原子、炭素数１〜２０のアルキル基、ヒドロキシル基、炭素数１〜２０のアルコキシ基又はハロゲン基である。）
【化５】
2005302088.tif 000011
（式（１２）中、Ｒ13は水素原子又は炭素数１〜２０のアルキル基である。）
【化６】
2005302088.tif 000012
（式（１３）中、Ｒ14及びＲ15はそれぞれ独立に、水素原子又は炭素数１〜２０のアルキル基である。）
【手続補正１２】
【補正対象書類名】明細書
【補正対象項目名】００１６
【補正方法】変更
【補正の内容】
【００１６】
特に、請求項８に記載の発明において、上記ブロック重合体は、前記重合体ブロック〔Ａ〕中の繰り返し単位〔１〕のモル分率ａ（モル％）と、前記重合体ブロック〔Ｂ〕中の繰り返し単位〔１〕のモル分率ｂ（モル％）との関係がａ＞ｂであることが好ましい。
【手続補正１３】
【補正対象書類名】明細書
【補正対象項目名】００１７
【補正方法】変更
【補正の内容】
【００１７】
請求項９に記載の発明は、
請求項１〜６のいずれか一項に記載の対物レンズにおいて、
前記基材を構成する樹脂が、
ノルボルネン系開環重合体水素添加物を含有することを特徴としている。
【手続補正１４】
【補正対象書類名】明細書
【補正対象項目名】００１８
【補正方法】変更
【補正の内容】
【００１８】
特に、請求項９に記載の発明において、上記ノルボルネン系開環重合体水素添加物は、ゲルパーミエーションクロマトグラフィーの紫外分光検出器及び示差屈折計でそれぞれ検出されるピーク面積から算出される飽和結合率が９９．９２〜９９．９９％であることが好ましい。
【手続補正１５】
【補正対象書類名】明細書
【補正対象項目名】００１９
【補正方法】変更
【補正の内容】
【００１９】
請求項１０に記載の発明は、
請求項１〜９のいずれか一項に記載の対物レンズにおいて、
前記基材の前記光情報記録媒体に対向する面に、前記第１の膜、前記第２の膜、前記第３の膜及び前記第４の膜が成膜されていることを特徴としている。
【手続補正１６】
【補正対象書類名】明細書
【補正対象項目名】００２０
【補正方法】変更
【補正の内容】
【００２０】
請求項１１に記載の発明は、
請求項１〜１０のいずれか一項に記載の対物レンズにおいて、
前記基材が
光源側に配置される第１の成形品と、
前記光情報記録媒体側に配置される第２の成形品と、
を有し、
前記第２の成形品が正の近軸パワーを有し、かつ、下記式（４１），（４２）の両条件を満たすことを特徴としている。
｜Ｐ１／Ｐ２｜≦０．２  …  （４１）
０．８≦ｄ2／ｆ2≦１．８  …  （４２）
（上記式（４１）中、Ｐ１：第１の成形品の近軸パワー、Ｐ２：第２の成形品の近軸パワーである。上記式（４２）中、ｄ2：第２の成形品の光軸上の厚さ、ｆ2：波長４０５ｎｍの光に対する第２の成形品の焦点距離である。）
【手続補正１７】
【補正対象書類名】明細書
【補正対象項目名】００２１
【補正方法】変更
【補正の内容】
【００２１】
請求項１２に記載の発明は、
請求項１〜１０のいずれか一項に記載の対物レンズにおいて、
前記基材が、
光源側に配置される第１の成形品と、
前記光情報記録媒体側に配置される第２の成形品と、
を有し、
前記第１の成形品及び前記第２の成形品がともに正の近軸パワーを有し、かつ、下記式（５１），（５２）の両条件を満たすことを特徴としている。
０．８≦ＮＡ  …  （５１）
０．２≦β≦０．５  …  （５２）
（上記式（５１）中、ＮＡ：第２の成形品の像側開口数である。上記式（５２）中、β：第２の成形品のレンズ倍率である。）
【手続補正１８】
【補正対象書類名】明細書
【補正対象項目名】００２２
【補正方法】変更
【補正の内容】
【００２２】
請求項１３に記載の発明は、
請求項１〜１０のいずれか一項に記載の対物レンズにおいて、
前記基材が、単一のレンズで構成され、下記式（６０）の条件を満たすことを特徴としている。
０．８≦ｄ／ｆ≦１．８  …  （６０）
（上記式（６０）中、ｄ：光軸上の厚さ、ｆ：波長４０５ｎｍの光に対する焦点距離である。）
請求項１４に記載の発明は、
請求項１〜１３のいずれか一項に記載の対物レンズにおいて、
波長６２０〜６８０nm中の特定波長の単色光で構成された光束を光情報記録媒体に集光させるために用いられることを特徴としている。
【手続補正１９】
【補正対象書類名】明細書
【補正対象項目名】００２３
【補正方法】変更
【補正の内容】
【００２３】
請求項１５に記載の発明の光ピックアップ装置は、
請求項１〜１４のいずれか一項に記載の対物レンズと、
前記対物レンズに向けて波長３５０〜４５０ｎｍ中の特定波長の単色光を出射する光源と、
を備えることを特徴としている。
請求項１６に記載の発明は、
波長３５０〜４５０nm中の特定波長を有する第一の単色光から構成された光束を出射する第一光源と、
波長６２０〜６８０nm中の特定波長を有する第二の単色光から構成された光束を出射する第二光源と、
前記第一又は第二光源から出射された単色光を光情報記録媒体に集光する対物レンズと、
を備えた光ピックアップ装置であって、
前記対物レンズは、
脂環式構造を有する重合体を含有する樹脂から構成された基材と、
波長４０５nmの光に対する屈折率が１．７未満の第１の膜と
波長４０５nmの光に対する屈折率が１．７以上の第２の膜と
波長４０５nmの光に対する屈折率が１．５５以下の第３の膜と
波長４０５nmの光に対する屈折率が１．７以上の第４の膜と
を備え、
これら第１〜第４の膜は、前記基材側から前記第１の膜、前記第２の膜、前記第３の膜、前記第４の膜の順で配置され、
前記第１の膜の膜厚は、１００〜１５０００nmの範囲内であることを特徴としている。
請求項１７に記載の発明は、請求項１６記載の光ピックアップ装置において、
前記第一光源から出射された第一の単色光は、第一の光情報記録媒体に前記対物レンズを介して集光し、
前記第二光源から出射された第二の単色光は、前記第一の光情報記録媒体とは異なる第二の光情報記録媒体に前記対物レンズを介して集光することを特徴としている。
【手続補正２０】
【補正対象書類名】明細書
【補正対象項目名】００２４
【補正方法】変更
【補正の内容】
【００２４】
請求項１〜１４に記載の発明では、基材と第２の膜との間に、当該第２の膜より屈折率の小さい第１の膜が配置されているため、当該第１の膜の存在により、第３の膜の表面で発生した熱が基材に伝導するのを緩和することができ、さらには第１の膜の膜厚が１００〜１５０００ｎｍと比較的厚いため、第３の膜の表面で発生した熱が基材に伝導するのをより緩和することができる。そのため、光エネルギーの大きな波長３５０〜４５０ｎｍの短波長青色光領域の光を透過光の対象とする場合においても、第１，第２，第３，第４の膜の耐擦傷性を向上させることができ、基材表面の形状変化も抑制することができる。
【手続補正２１】
【補正対象書類名】明細書
【補正対象項目名】００２５
【補正方法】変更
【補正の内容】
【００２５】
請求項１５，１６に記載の発明では、請求項１〜１４のいずれか一項に記載の対物レンズを備えるため、当該対物レンズにおける第１，第２，第３，第４の膜の耐擦傷性を向上させることができ、当該対物レンズの基材表面の形状変化も抑制することができる。
また請求項１７記載の発明では、青色光領域の光を対象とした光ピックアップ装置のみならず、赤色光領域の光も用いた少なくとも２種類の光情報記録媒体の記録・再生を行う装置にも用いることができる。